(57)【特許請求の範囲】
【請求項１】
省エネルギーモードを含む複数の運転モードから所定の運転モードを選択する選択部と、
前記選択部によって選択された運転モードに従って圧縮機、室外ファン、および、室内ファンを制御する制御部と、
室内の温度を検出する室内温度検出部と、
室内に吹出される空気の温度を検出する吹出し温度検出部とを備え、
前記選択部によって前記省エネルギーモードが選択されると、前記制御部は、前記吹出し温度検出部によって検出された吹出し空気温度に応じて、前記室内ファンの回転数を制御し、
冷房運転時に前記選択部によって前記省エネルギーモードが選択されると、前記制御部は、前記室内温度検出部によって検出された検出室内温度と前記吹出し空気温度との差が相対的に大きいとき、前記室内ファンの回転数を減少させ、前記検出室内温度と前記吹出し空気温度との差が相対的に小さいとき、前記室内ファンの回転数を増加させるように制御することを特徴とする、空気調和機。
【請求項２】
前記選択部によって前記省エネルギーモードが選択されると、前記制御部は、最高効率点を含む所定の範囲内に前記圧縮機の回転数を限定するように制御することを特徴とする、請求項１に記載の空気調和機。
【請求項３】
前記室内ファンの回転数の制御は、前記省エネルギーモードで設定された設定室内温度と、前記室内温度検出部によって検出された検出室内温度との差が予め定められた温度差の範囲内のとき、行われることを特徴とする、請求項１または請求項２に記載の空気調和機。
【請求項４】
前記室内ファンの回転数の制御は、前記設定室内温度と前記検出室内温度との差に応じて行われることを特徴とする、請求項３に記載の空気調和機。
【請求項５】
冷房運転時に前記選択部によって前記省エネルギーモードが選択されると、前記制御部は、前記検出室内温度と前記吹出し空気温度との差が予め定められた範囲の上限値よりも相対的に大きいとき、前記室内ファンの回転数を減少させ、前記検出室内温度と前記吹出し空気温度との差が予め定められた範囲の下限値よりも相対的に小さいとき、前記室内ファンの回転数を増加させ、前記検出室内温度と前記吹出し空気温度との差が予め定められた範囲内のとき、前記室内ファンの回転数を維持するように制御することを特徴とする、請求項１から請求項３までのいずれか１項に記載の空気調和機。
【請求項６】
冷房運転時に前記選択部によって前記省エネルギーモードが選択されると、前記吹出し空気温度が、前記検出室内温度において、予め定められた第１の湿度に対応する第１の露点温度と、前記第１の湿度よりも高い予め定められた第２の湿度に対応する第２の露点温度の範囲内の温度になるように、前記制御部は、前記室内ファンの回転数を制御することを特徴とする、請求項１から請求項５までのいずれか１項に記載の空気調和機。
【請求項７】
室内に吹出される空気の方向を制御する風向変更部をさらに備え、
冷房運転時に前記選択部によって前記省エネルギーモードが選択されると、前記制御部は、前記圧縮機の運転中においては室内に吹出される空気の方向が水平から斜め上方の範囲内になるように前記風向変更部を制御し、前記圧縮機の停止中においては室内に吹出される空気の方向が下方になるように前記風向変更部を制御することを特徴とする、請求項１から請求項６までのいずれか１項に記載の空気調和機。
【請求項８】
暖房運転時に前記選択部によって前記省エネルギーモードが選択されると、前記吹出し空気温度が、前記検出室内温度において、人間の体温よりも高い予め定められた第１の温度と、前記第１の温度よりも高い予め定められた第２の温度の範囲内の温度になるように、前記制御部は、前記室内ファンの回転数を制御することを特徴とする、請求項１から請求項７までのいずれか１項に記載の空気調和機。
【請求項９】
前記吹出し温度検出部は、吹出口における空気の温度、または、室内熱交換器における空気の温度の少なくともいずれかの温度を検出することを特徴とする、請求項１から請求項８までのいずれか１項に記載の空気調和機。
【請求項１０】
前記選択部によって前記省エネルギーモードが選択されると、前記制御部は、前記室外ファンの回転数を所定の値まで増加させるように制御することを特徴とする、請求項１から請求項９までのいずれか１項に記載の空気調和機。
【発明の詳細な説明】
【技術分野】
【０００１】
この発明は、一般的には空気調和機に関し、特定的にはエネルギー消費を抑制して温度制御を行う空気調和機に関するものである。
【背景技術】
【０００２】
従来から、運転時において通常運転モードから、エネルギー消費を抑制するための運転として省エネルギーモードに切替え、省エネルギーモード時には室内の設定温度を一定値に固定するようにした空気調和機が知られている。
【０００３】
たとえば、特開２０００−９７４７３号公報（特許文献１）では、省エネモードが選択された場合、設定温度を所定温度にシフトし、運転電流の最大電流値を抑制する空気調和機が提案されている。
【０００４】
また、特許第３０６７４１１号公報（特許文献２）では、外気温度を検出して、この外気温度に対し冷房時には所定温度低く暖房時には所定温度高い偏差温度を算出し、さらにこの偏差温度を基準温度と比較して設定温度を設定するようにした空気調和機が提案されている。
【０００５】
さらに、特開平１０−１４８３７７号公報（特許文献３）では、省エネモードの設定時に、冷凍サイクルを形成する圧縮機を能力制御するためのインバータ装置の運転周波数範囲を縮小する空気調和機が提案されている。
【０００６】
なお、特開２０００−９７４７３号公報（特許文献１）では、室内機の風量や風向を１／ｆゆらぎに基づいて制御する空気調和機も提案されている。
【特許文献１】特開２０００−９７４７３号公報
【特許文献２】特許第３０６７４１１号公報
【特許文献３】特開平１０−１４８３７７号公報
【発明の開示】
【発明が解決しようとする課題】
【０００７】
しかしながら、特開２０００−９７４７３号公報（特許文献１）や特許第３０６７４１１号公報（特許文献２）で提案された従来の空気調和機では、省エネルギーモード時に室内の設定温度を一定値に固定すると、暑がりの人や寒がりの人などへの個別の対応ができなく、不快な室内環境になる場合がある。
【０００８】
また、特開平１０−１４８３７７号公報（特許文献３）に記載された空気調和機のように、圧縮機を能力制御するためのインバータ装置の運転周波数範囲を縮小すると、冷凍サイクルが最高効率となるときの圧縮機の運転周波数が縮小した運転周波数範囲内に入らないため、逆に効率が悪化するという問題がある。
【０００９】
さらに、特開２０００−９７４７３号公報（特許文献１）に記載された従来の空気調和機のように、室内機の風量や風向を１／ｆゆらぎに基づいて制御すると、冷気が人体に当たり、寒さを感じる場合や、室内ファンを停止すると室内熱交換器が有する冷熱を無駄にする場合がある。
【００１０】
そこで、この発明の目的は、エネルギー消費を抑制するとともに、より快適な室内環境を作ることが可能な空気調和機を提供することである。
【課題を解決するための手段】
【００１１】
この発明に従った空気調和機は、省エネルギーモードを含む複数の運転モードから所定の運転モードを選択する選択部と、この選択部によって選択された運転モードに従って圧縮機、室外ファン、および、室内ファンを制御する制御部と、室内の温度を検出する室内温度検出部と、室内に吹出される空気の温度を検出する吹出し温度検出部とを備える。選択部によって省エネルギーモードが選択されると、制御部は、吹出し温度検出部によって検出された吹出し空気温度に応じて、室内ファンの回転数を制御する。
【００１２】
この発明の空気調和機においては、省エネルギーモードが選択されるとき、吹出し空気温度に応じて、室内ファンの回転数を制御するので、冷房運転時に吹出し空気温度が室内にいる者にとって寒過ぎる温度になることがなく、また暖房運転時に吹出し空気温度が室内にいる者にとって熱い温度になることもなく、また室内の設定温度を室内にいる者の好みに合わせて変更することができ、快適な室内環境を作ることができる。
【００１３】
また、この発明の空気調和機においては、冷房運転時に選択部によって省エネルギーモードが選択されると、制御部は、室内温度検出部によって検出された検出室内温度と吹出し空気温度との差が相対的に大きいとき、室内ファンの回転数を減少させ、検出室内温度と吹出し空気温度との差が相対的に小さいとき、室内ファンの回転数を増加させるように制御する。
【００１４】
このようにすることによって、吹出し空気温度を快適な温度に制御することができる。
【００１５】
この発明の空気調和機においては、選択部によって省エネルギーモードが選択されると、制御部は、最高効率点を含む所定の範囲内に圧縮機の回転数を限定するように制御することが好ましい。
【００１６】
このようにすることによって、省エネルギーモード時において、最高効率の回転数を含む範囲に圧縮機が運転されるので、冷凍サイクルの効率を低下させることなく、省エネルギー運転を行うことができる。
【００１７】
また、この発明の空気調和機においては、室内ファンの回転数の制御は、省エネルギーモードで設定された設定室内温度と、室内温度検出部によって検出された検出室内温度との差が予め定められた温度差の範囲内のとき、行われることが好ましい。
【００１８】
このようにすることによって、検出室内温度が設定室内温度に近づいたときに吹出し空気温度に応じて室内ファンの回転数を制御するので、室内にいる者にとって好ましい室内温度の状態で省エネルギー運転を行うことができる。
【００１９】
この場合、室内ファンの回転数の制御は、設定室内温度と検出室内温度との差に応じて行われることが好ましい。
【００２０】
また、この発明の空気調和機においては、冷房運転時に選択部によって省エネルギーモードが選択されると、制御部は、検出室内温度と吹出し空気温度との差が予め定められた範囲の上限値よりも相対的に大きいとき、室内ファンの回転数を減少させ、検出室内温度と吹出し空気温度との差が予め定められた範囲の下限値よりも相対的に小さいとき、室内ファンの回転数を増加させ、検出室内温度と吹出し空気温度との差が予め定められた範囲内のとき、室内ファンの回転数を維持するように制御することが好ましい。
【００２１】
このようにすることによって、吹出し空気温度を快適な温度範囲に制御することができる。
【００２２】
この発明の空気調和機においては、冷房運転時に選択部によって省エネルギーモードが選択されると、吹出し空気温度が、検出室内温度において、予め定められた第１の湿度に対応する第１の露点温度と、第１の湿度よりも高い予め定められた第２の湿度に対応する第２の露点温度の範囲内の温度になるように、制御部は、室内ファンの回転数を制御することが好ましい。
【００２３】
このようにすることによって、冷房運転時において、吹出し空気温度を所定の湿度範囲に対応する露点温度の範囲に制御することができる。このため、省エネルギーモード時に室内の湿度が一定値以下に低下せず、また高くなり過ぎないように制御することができる。
【００２４】
この発明の空気調和機は、室内に吹出される空気の方向を制御する風向変更部をさらに備え、冷房運転時に選択部によって省エネルギーモードが選択されると、制御部は、圧縮機の運転中においては室内に吹出される空気の方向が水平から斜め上方の範囲内になるように風向変更部を制御し、圧縮機の停止中においては室内に吹出される空気の方向が下方になるように風向変更部を制御することが好ましい。
【００２５】
このようにすることによって、冷房運転時において、圧縮機の運転中は冷気を人体に直接当てず、圧縮機の停止中は寒くない風を人体に当てることができるので、送風による冷却感を得ることができる。
【００２６】
この発明の空気調和機においては、暖房運転時に選択部によって省エネルギーモードが選択されると、吹出し空気温度が、人間の体温よりも高い予め定められた第１の温度と、第１の温度よりも高い予め定められた第２の温度の範囲内の温度になるように、制御部は、圧縮機の回転数を制御することが好ましい。
【００２７】
このようにすることによって、暖房運転時において、人間の体温よりも高い一定値以上に上昇しないように吹出し空気温度を制御することができる。このため、省エネルギーモード時に室内の温度が高くなり過ぎないように制御することができる。
【００２８】
なお、この発明の空気調和機においては、吹出し温度検出部は、吹出口における空気の温度、または、室内熱交換器における空気の温度の少なくともいずれかの温度を検出することが好ましい。
【００２９】
また、この発明の空気調和機においては、選択部によって省エネルギーモードが選択されると、制御部は、室外ファンの回転数を所定の値まで増加させるように制御してもよい。
【発明の効果】
【００３０】
以上のようにこの発明によれば、省エネルギーモード時に、吹出し空気温度に応じて室内ファンの回転数を制御するので、エネルギー消費を抑制することができるとともに、より快適な室内環境を作ることができる。
【発明を実施するための最良の形態】
【００３１】
以下、この発明の一つの実施の形態を図面に基づいて説明する。
【００３２】
図１は、この発明の一つの実施の形態として空気調和機の冷凍サイクルを示す図である。
【００３３】
図１に示すように、空気調和機１は室内機１０と室外機２０とを備える。室内機１０は、室内熱交換器１１と、室内ファン１２と、室内制御装置として制御部１７とを備える。室外機２０は、圧縮機２１と、四方弁２４と、室外熱交換器２５と、室外ファン２６と、膨張弁２８と、室外制御装置として制御部２９とを備える。
【００３４】
室内ファン１２は、室内熱交換器１１に室内空気を通過させるためのものであり、室内ファンモータ１３によって駆動される。圧縮機２１は、圧縮機モータ２２によって駆動され、その吸込み側にはアキュムレータ２３が接続されている。室外ファン２６は、室外熱交換器２５に室外空気を通過させるためのものであり、室外ファンモータ２７によって駆動される。
【００３５】
室内機１０と室外機２０の接続経路には二つのバルブが設けられ、室内機１０と室外機２０の各構成要素は、順次、冷媒配管によって接続されて周知の冷凍サイクルを構成する。
【００３６】
冷房運転時には、冷媒は、実線の矢印で示すように、圧縮機２１、四方弁２４、室外熱交換器２５、膨張弁２８、室内熱交換器１１、四方弁２４、アキュムレータ２３および圧縮機２１の順の経路で循環する。この場合、室外熱交換器２５は凝縮器として機能し、室内熱交換器１１は蒸発器として機能する。
【００３７】
暖房運転時には、冷媒は、破線の矢印で示すように、圧縮機２１、四方弁２４、室内熱交換器１１、膨張弁２８、室外熱交換器２５、四方弁２４、アキュムレータ２３および圧縮機２１の順の経路で循環する。この場合、室内熱交換器１１は凝縮器として機能し、室外熱交換器２５は蒸発器として機能する。
【００３８】
室内機１０は、室内の温度を検出する室内温度検出部１４と、室内に吹き出される空気の温度を検出する吹出し温度検出部として、吹出口における空気の温度を検出する吹出口温度検出部１５と、室内熱交換器１１における空気の温度を検出する熱交換器温度検出部１６とを備える。制御部１７は、選択された運転モードに従って、設定された設定室内温度と、室内温度検出部１４で検出された検出室内温度と、吹出口温度検出部１５または熱交換器温度検出部１６で検出された吹出し空気温度とに応じて、室内ファン１２の回転数、すなわち、室内ファンモータ１３の回転数を制御するとともに、制御情報を制御部２９に送信する。制御部２９は、制御部１７から受信した制御情報に応じて、圧縮機２１の回転数、すなわち、圧縮機モータ２２の回転数と、室外ファン２６の回転数、すなわち、室外ファンモータ２７の回転数とを制御する。
【００３９】
図２は、冷房運転中において、図１に示す制御部１７または制御部２９を構成するマイクロコンピュータの省エネルギーモードにおける処理手順を示すフローチャートである。図３は、この発明の一つの実施の形態として空気調和機のリモートコントローラの構成を示す図である。
【００４０】
図１〜図３を参照して、冷房運転中において、省エネルギーモードが選択された場合の処理手順を説明する。
【００４１】
図３に示すように、リモートコントローラ３０は、少なくとも省エネルギーモードとして「２８／２０℃」運転モードを含む複数の運転モードから所定の運転モードを選択することができる選択部である。
【００４２】
まず、ステップＳ１にて、冷房運転中に図３に示す「２８／２０℃」ボタン３１を押す。これにより、選択部としてのリモートコントローラ３０によって、省エネルギーモードとしての「２８／２０℃」運転が選択されると、リモートコントローラ３０から、室内機１０の制御部１７に「２８／２０℃」運転モードを送信する。このとき、冷房運転中であるので、「２８／２０℃」運転モードで設定された設定室内温度は２８℃であるが、リモートコントローラ３０を用いて、室内にいる者の好みに合わせて温度上下ボタンを押すことによって、たとえば、±２℃の範囲内で変更可能である。
【００４３】
そうすると、ステップＳ２にて、制御部１７は、最高効率点を含む所定の範囲内、回転数Ｒ１以上、回転数Ｒ２以下に圧縮機２１の回転数Ｒを制限する制御信号を制御部２９に送信する。この制御信号に応じて、制御部２９は圧縮機２１の回転数Ｒを回転数Ｒ１以上、回転数Ｒ２以下に制限するように制御する。
【００４４】
図５は、冷凍サイクルを構成する圧縮機の回転数と、冷凍サイクルの効率を示すＣＯＰ（成績係数）との関係を示す図である。
【００４５】
図５に示すように、ＣＯＰの最高点、すなわち、冷凍サイクルの最高効率点を示す圧縮機の回転数をＦηｍａｘとすると、その回転数Ｆηｍａｘを含むように、圧縮機２１の回転数Ｒを制限する範囲の下限値Ｒ１と上限値Ｒ２を定める。当該冷凍サイクルにおいて最高効率が得られるときの圧縮機の回転数、すなわち、周波数を予め求めておき、そのときの回転数Ｆηｍａｘを含むように回転数の下限値Ｒ１と上限値Ｒ２を定める。
【００４６】
次に、ステップＳ３にて、制御部１７は、室外ファン２６の回転数を所定の値まで増加させる制御信号を制御部２９に送信する。この制御信号に応じて、制御部２９は、室外ファン２６の回転数を所定の値まで増加させるように制御する。このとき、具体的には室外ファン２６の回転数を予め定められた最大回転数まで上昇させる。
【００４７】
このように冷房運転中に「２８／２０℃」運転モードが選択されると、制御部１７は、最高効率点を含む所定の範囲内に圧縮機２１の回転数を限定し、室外ファン２６の回転数を所定の値まで増加させることによって、「２８／２０℃」運転モード時において、最高効率の回転数を含む範囲に圧縮機２１が運転され、室外ファン２６の回転数を増加させるので、冷凍サイクルの効率を低下させることなく、省エネルギー運転を行うことができる。
【００４８】
なお、ステップＳ３にて、制御部１７は、室外ファン２６の回転数を所定の値まで増加させる制御信号を制御部２９に送信し、この制御信号に応じて、制御部２９は、室外ファン２６に回転数を所定の値まで増加させるように制御しているが、ステップＳ３を行わなくても、すなわち、上記の室外ファン２６の回転数の制御を行わなくても、少なくとも、ステップＳ２にて、最高効率の回転数を含む範囲に圧縮機２１が運転されるので、冷凍サイクルの効率を低下させることなく、省エネルギー運転を行うことができる。
【００４９】
次に、制御部１７は、室内温度検出部１４によって検出された検出室内温度Ｔｒと、吹出し温度検出部として、吹出口温度検出部１５または熱交換器温度検出部１６で検出された吹出し空気温度Ｔｄとに応じて、室内ファン１２の回転数を制御する。
【００５０】
このように検出室内温度Ｔｒと吹出し空気温度Ｔｄとに応じて、室内ファン１２の回転数を制御するので、冷房運転時に吹出し空気温度Ｔｄが室内にいる者にとって寒過ぎる温度になることがなく、また室内の設定温度を室内にいる者の好みに合わせて変更することができ、快適な室内環境を作ることができる。
【００５１】
具体的には、ステップＳ４にて、まず、「２８／２０℃」運転モードで設定された設定室内温度Ｔｓと、室内温度検出部１４によって検出された検出室内温度Ｔｒとの差（Ｔｒ−Ｔｓ）が予め定められた温度差Δｔの範囲内であるかどうかが判定される。設定室内温度Ｔｓと検出室内温度Ｔｒとの差（Ｔｒ−Ｔｓ）が温度差Δｔの範囲内であれば、室内ファン１２の回転数の制御が行われる。たとえば、（Ｔｒ−Ｔｓ）がΔｔ＝１．３℃以下（ＹＥＳ）であれば、室内ファン１２の回転数の制御が行われ、Δｔを超えれば（ＮＯ）、室内ファン１２の回転数の制御が行われない。
【００５２】
このように、検出室内温度Ｔｒが設定室内温度Ｔｓに近づいたときに吹出し空気温度Ｔｄに応じて室内ファン１２の回転数を制御するので、室内にいる者にとって好ましい室内温度の状態で省エネルギー運転を行うことができる。
【００５３】
そして、制御部１７は、検出室内温度Ｔｒと吹出し空気温度Ｔｄとの差が相対的に大きいとき、室内ファン１２の回転数を減少させ、検出室内温度Ｔｒと吹出し空気温度Ｔｄとの差が相対的に小さいとき、室内ファン１２の回転数を増加させるように制御する。このようにすることによって、吹出し空気温度Ｔｄを快適な温度に制御することができる。
【００５４】
好ましくは、制御部１７は、検出室内温度Ｔｒと吹出し空気温度Ｔｄとの差が予め定められた範囲の上限値ｔ２よりも相対的に大きいとき、室内ファン１２の回転数を減少させ、検出室内温度Ｔｒと吹出し空気温度Ｔｄとの差が予め定められた範囲の下限値ｔ１よりも相対的に小さいとき、室内ファン１２の回転数を増加させ、検出室内温度Ｔｒと吹出し空気温度Ｔｄとの差が予め定められた範囲内（ｔ１≦（Ｔｒ−Ｔｄ）≦ｔ２）のとき、室内ファン１２の回転数を維持するように制御する。このようにすることによって、吹出し空気温度Ｔｄを快適な温度範囲に制御することができる。
【００５５】
具体的には、ステップＳ５にて、検出室内温度Ｔｒと吹出し空気温度Ｔｄとの差（Ｔｒ−Ｔｄ）がｔ２よりも大きい（ＹＥＳ）ときには、ステップＳ６にて、室内ファン１２の回転数を下降させる。
【００５６】
ステップＳ５にて、検出室内温度Ｔｒと吹出し空気温度Ｔｄとの差（Ｔｒ−Ｔｄ）がｔ２よりも小さく（ＮＯ）、かつ、ステップＳ７にて、検出室内温度Ｔｒと吹出し空気温度とＴｄの差（Ｔｒ−Ｔｄ）がｔ１よりも小さい（ＹＥＳ）ときには、ステップＳ８にて、室内ファン１２の回転数を上昇させる。
【００５７】
ステップＳ５にて、検出室内温度Ｔｒと吹出し空気温度Ｔｄとの差（Ｔｒ−Ｔｄ）がｔ２よりも小さく（ＮＯ）、かつ、ステップＳ７にて、検出室内温度Ｔｒと吹出し空気温度とＴｄの差（Ｔｒ−Ｔｄ）がｔ１よりも大きい（ＮＯ）ときには、ステップＳ９にて、室内ファン１２の回転数を固定する、すなわち、維持する。
【００５８】
上記の室内ファン１２の制御において、冷房運転中に「２８／２０℃」運転モードが選択されると、吹出し空気温度Ｔｄが、検出室内温度Ｔｒにおいて、予め定められた第１の湿度に対応する第１の露点温度と、第１の湿度よりも高い予め定められた第２の湿度に対応する第２の露点温度の範囲内の温度になるように、制御部１７は、室内ファン１２の回転数を制御するのが好ましい。このようにすることによって、冷房運転時において、吹出し空気温度Ｔｄを所定の湿度範囲に対応する露点温度の範囲に制御することができる。このため、省エネルギー運転時に室内の湿度が高くなり過ぎないように制御することができる。また、省エネルギー運転時に室内の湿度が一定値以下に低下することがないように制御することができる。さらに、不快な湿度となる蒸発温度になるまで室内熱交換器１１の温度を上昇させることもない。
【００５９】
たとえば、第１の湿度として４５％、第２の湿度として６５％とすると、第１の湿度に対応する第１の露点温度は（Ｔｒ−１３）℃、第２の湿度に対応する第２の露点温度は（Ｔｒ−７）℃に近似される。したがって、（Ｔｒ−１３）≦Ｔｄ≦（Ｔｒ−７）になるように室内ファン１２の回転数が制御される。これにより、７≦（Ｔｒ−Ｔｄ）≦１３になるように室内ファン１２の回転数が制御される。すなわち、冷房運転中にはｔ１＝７℃、ｔ２＝１３℃に設定される。
【００６０】
この場合、室内ファン１２の回転数の制御は、設定室内温度Ｔｓと検出室内温度Ｔｒとの差（Ｔｒ−Ｔｓ）の値に応じて行われる。
【００６１】
たとえば、冷房運転時において、設定室内温度Ｔｓと検出室内温度Ｔｒとの差がΔｔ＝１．３℃以下で、０．７℃よりも大きい場合には、ｔ１＝１１℃、ｔ２＝１３℃として、上記の室内ファンの制御を行う。すなわち、制御部１７は、検出室内温度Ｔｒと吹出し空気温度Ｔｄとの差が１３℃よりも大きいとき、室内ファン１２の回転数を減少させ、検出室内温度Ｔｒと吹出し空気温度Ｔｄとの差が１１℃よりも小さいとき、室内ファン１２の回転数を増加させ、検出室内温度Ｔｒと吹出し空気温度とＴｄの差が予め定められた範囲内（１１℃＜（Ｔｒ−Ｔｄ）≦１３℃）のとき、室内ファン１２の回転数を維持するように制御する。
【００６２】
また、設定室内温度Ｔｓと検出室内温度Ｔｒとの差がΔｔ＝０．７℃以下で、０℃よりも大きい場合には、ｔ１＝９℃、ｔ２＝１２℃として、上記の室内ファンの制御を行う。すなわち、制御部１７は、検出室内温度Ｔｒと吹出し空気温度Ｔｄとの差が１２℃よりも大きいとき、室内ファン１２の回転数を減少させ、検出室内温度Ｔｒと吹出し空気温度Ｔｄとの差が９℃よりも小さいとき、室内ファン１２の回転数を増加させ、検出室内温度Ｔｒと吹出し空気温度とＴｄの差が予め定められた範囲内（９℃＜（Ｔｒ−Ｔｄ）≦１２℃）のとき、室内ファン１２の回転数を維持するように制御する。
【００６３】
さらに、設定室内温度Ｔｓと検出室内温度Ｔｒとの差がΔｔ＝０℃以下で、−０．７℃よりも大きい場合には、ｔ１＝７℃、ｔ２＝８℃として、上記の室内ファンの制御を行う。すなわち、制御部１７は、検出室内温度Ｔｒと吹出し空気温度Ｔｄとの差が８℃よりも大きいとき、室内ファン１２の回転数を減少させ、検出室内温度Ｔｒと吹出し空気温度Ｔｄとの差が７℃よりも小さいとき、室内ファン１２の回転数を増加させ、検出室内温度Ｔｒと吹出し空気温度とＴｄの差が予め定められた範囲内（７℃＜（Ｔｒ−Ｔｄ）≦８℃）のとき、室内ファン１２の回転数を維持するように制御する。
【００６４】
さらにまた、設定室内温度Ｔｓと検出室内温度Ｔｒとの差がΔｔ＝−０．７℃以下の場合には、ｔ１＝７℃、ｔ２＝８℃として、上記の室内ファンの制御を行う。すなわち、制御部１７は、検出室内温度Ｔｒと吹出し空気温度Ｔｄとの差が８℃よりも大きいとき、室内ファン１２の回転数を減少させ、検出室内温度Ｔｒと吹出し空気温度Ｔｄとの差が７℃よりも小さいとき、室内ファン１２の回転数を増加させ、検出室内温度Ｔｒと吹出し空気温度とＴｄの差が予め定められた範囲内（７℃＜（Ｔｒ−Ｔｄ）≦８℃）のとき、室内ファン１２の回転数を維持するように制御する。
【００６５】
図４は、本発明の一つの実施の形態として空気調和機の室内機の側断面を概念的に示す図である。
【００６６】
図４に示すように空気調和機の室内機１０は、室内に吹出される空気の方向を制御する風向変更部として、水平方向に延びる横ルーバ１８を備える。たとえば、横ルーバ１８は、互いに間隔をあけて配置された３つの水平板から構成される。
【００６７】
冷房運転時にリモートコントローラ３０によって「２８／２０℃」運転モードが選択されると、制御部１７は、圧縮機２１の運転中においては、図４（Ａ）に示すように室内に吹出される空気の方向が水平から斜め上方の範囲内になるように横ルーバ１８を制御し、圧縮機２１の停止中においては、図４（Ｂ）に示すように室内に吹出される空気の方向が下方になるように横ルーバ１８を制御することが好ましい。
【００６８】
このようにすることによって、冷房運転時において、圧縮機２１の運転中は冷気を人体に直接当てず、圧縮機２１の停止中は寒くない風を人体に当てることができるので、送風による冷却感を得ることができる。これにより、設定室内温度が高くても、快適な冷房を行うことができる。
【００６９】
なお、暖房運転中に「２８／２０℃」運転モードが選択されると（ステップＳ１）、最高効率点を含む所定の範囲内、回転数Ｒ１以上、回転数Ｒ２以下に圧縮機２１の回転数Ｒを制限する制御信号を制御部２９に送信する。この制御信号に応じて、制御部２９は圧縮機２１の回転数Ｒを回転数Ｒ１以上、回転数Ｒ２以下に制限するように制御する（ステップＳ２）。そして、制御部１７は、室外ファン２６の回転数を所定の値まで増加させる制御信号を制御部２９に送信する。この制御信号に応じて、制御部２９は、室外ファン２６に回転数を所定の値まで増加させるように制御する。このとき、具体的には室外ファン２６の回転数を予め定められた最大回転数まで上昇させる（ステップＳ３）。このとき、暖房運転中であるので、「２８／２０℃」運転モードで設定された設定室内温度は２０℃であるが、リモートコントローラ３０を用いて、室内にいる者の好みに合わせて温度上下ボタンを押すことによって、たとえば、±２℃の範囲内で変更可能である。
【００７０】
暖房運転中では、ステップＳ４にて、「２８／２０℃」運転モードで設定された設定室内温度Ｔｓと、室内温度検出部１４によって検出された検出室内温度Ｔｒとの差（Ｔｓ−Ｔｒ）が予め定められた温度差Δｔの範囲内であるかどうかが判定される。
【００７１】
このように、検出室内温度Ｔｒが設定室内温度Ｔｓに近づいたときに吹出し空気温度Ｔｄに応じて室内ファン１２の回転数を制御するので、室内にいる者にとって好ましい室内温度の状態で省エネルギー運転を行うことができる。
【００７２】
また、暖房運転中では、ステップＳ５にて、検出室内温度Ｔｒと吹出し空気温度Ｔｄとの差（Ｔｒ−Ｔｄ）の代わりに、吹出し空気温度Ｔｄがｔ２と比較され、ステップＳ７にて、検出室内温度Ｔｒと吹出し空気温度Ｔｄとの差（Ｔｒ−Ｔｄ）の代わりに、吹出し空気温度Ｔｄがｔ１と比較される。このようにすることによって、吹出し空気温度を快適な温度、または快適な温度範囲に制御することができる。
【００７３】
この場合、吹出し空気温度Ｔｄが、人間の体温よりも高い予め定められた第１の温度ｔ１と、第１の温度よりも高い予め定められた第２の温度ｔ２の範囲内の温度になるように、制御部１７は、室内ファン１２の回転数を制御するのが好ましい。たとえば、暖房運転中にはｔ１＝３４℃、ｔ２＝３９℃に設定される。このようにすることによって、暖房運転時において、人間の体温よりも高い一定値以上に上昇しないように吹出し空気温度を制御することができる。このため、省エネルギー運転時に室内の温度が高くなり過ぎないように制御することができる。また、吹出し空気温度が低温で不快な凝縮温度になるまで室内熱交換器１１の温度を低下させることがない。
【００７４】
このように吹出し空気温度Ｔｄに応じて、室内ファン１２の回転数を制御するので、暖房運転時に吹出し空気温度Ｔｒが室内にいる者にとって熱い温度になることもなく、快適な室内環境を作ることができるとともに、省エネルギー運転を行うことができる。
【００７５】
暖房運転中に「２８／２０℃」運転モードが選択されると、制御部１７は、最高効率点を含む所定の範囲内に圧縮機２１の回転数を限定し、室外ファン２６の回転数を所定の値まで増加させることによって、「２８／２０℃」運転モード時において、最高効率の回転数を含む範囲に圧縮機２１が運転され、室外ファン２６の回転数を増加させるので、冷凍サイクルの効率を低下させることなく、省エネルギー運転を行うことができる。また、暖房運転中では、図４（Ｃ）に示すように、横ルーバ１８をほぼ真下向きにするので、暖気を室内にいる者に直接当てることがなく、床面を暖めるのに適した方向に風向が制御される。
【００７６】
なお、暖房運転中においても、ステップＳ３にて、制御部１７は、室外ファン２６の回転数を所定の値まで増加させる制御信号を制御部２９に送信し、この制御信号に応じて、制御部２９は、室外ファン２６に回転数を所定の値まで増加させるように制御しているが、ステップＳ３を行わなくても、すなわち、上記の室外ファン２６の回転数の制御を行わなくても、少なくとも、ステップＳ２にて、最高効率の回転数を含む範囲に圧縮機２１が運転されるので、冷凍サイクルの効率を低下させることなく、省エネルギー運転を行うことができる。
【００７７】
なお、上記の実施の形態において、ｔ１とｔ２の値は、制御部１７内で不揮発性メモリ（ＥＥＰＲＯＭ）に記憶され、適宜、変更することができる。
【００７８】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００７９】
【図１】この発明の一つの実施の形態として空気調和機の冷凍サイクルを示す図である。
【図２】冷房運転中において、制御部を構成するマイクロコンピュータの睡眠時運転モードにおける処理手順を示すフローチャートである。
【図３】この発明の一つの実施の形態として空気調和機のリモートコントローラの構成を示す図である。
【図４】本発明の一つの実施の形態として空気調和機の室内機の側断面を概念的に示す図である。
【図５】冷凍サイクルを構成する圧縮機の回転数と、冷凍サイクルの効率を示すＣＯＰ（成績係数）との関係を示す図である。
【符号の説明】
【００８０】
１：空気調和機、１０：室内機、１１：室内熱交換器、１２：室内ファン、１４：室内温度検出部、１５：吹出口温度検出部、１６：熱交換器温度検出部、１７，２９：制御部、１８：横ルーバ、２０：室外機、２１：圧縮機、２５：室外熱交換器、２６：室外ファン、３０：リモートコントローラ、３１：「２８／２０℃」ボタン。
【図１】
0004592600.tif 000002
【図２】
0004592600.tif 000003
【図３】
0004592600.tif 000004
【図４】
0004592600.tif 000005
【図５】
0004592600.tif 000006